(57)【要約】      （修正有）【課題】機密保持性の高い暗号化情報を作成できる画像処理装置及びこれを用いた会議システムを提供する。【解決手段】画像処理装置１は、内部記憶装置９に格納した情報を暗号化する暗号化情報生成部２１と、暗号化情報生成部２１で生成された暗号化情報Ｗを閲覧可能にし、一時的な近距離直接通信のみにより送受信できる復号キーＫを生成する復号キー生成部２２と、暗号化情報Ｗと復号キーＫを通信接続されたモバイルコンピュータ機器５１に送信する情報送信部１４と、を備える。モバイルコンピュータ機器５１は会議システムを構成する他のモバイルコンピュータ機器に対してインターネット等を介して暗号化情報Ｗを送信する一方で、近距離直接通信により復号キーＫを送信する。【選択図】図１
2015211411.tif 000002
【特許請求の範囲】
【請求項１】
内部記憶装置に格納した情報を暗号化する暗号化情報生成部と、
前記暗号化情報生成部で生成された暗号化情報を閲覧可能にすると共に、一時的な近距離直接通信のみにより送受信できる復号キーを生成する復号キー生成部と、
前記暗号化情報と前記復号キーを通信接続されたモバイルコンピュータ機器に送信する情報送信部と、
を備えることを特徴とする画像処理装置。
【請求項２】
請求項１に記載の画像処理装置において生成された暗号化情報及び復号キーが保存された第一モバイルコンピュータ機器と、
前記暗号化情報が保存されると共に、前記第一モバイルコンピュータ機器の近傍に配置された第二モバイルコンピュータ機器と、
を備え、
前記第一モバイルコンピュータ機器と前記第二モバイルコンピュータ機器は、前記復号キーを一時的な近距離直接通信のみにより直接送受信することを特徴とする会議システム。
【請求項３】
前記第二モバイルコンピュータ機器には、前記暗号化情報を保存するときに、前記暗号化情報を削除する専用ソフトウェアが同時にインストールされており、
前記第二モバイルコンピュータ機器において前記暗号化情報を前記復号キーを用いて閲覧した後に、前記第一モバイルコンピュータ機器と前記第二モバイルコンピュータ機器の間の一時的な近距離直接通が終了すると、前記専用ソフトウェアが前記復号キーを消去することを請求項２に記載の特徴とする会議システム。
【発明の詳細な説明】
【技術分野】
【０００１】
本発明は、画像処理装置、会議システムに関する。
【背景技術】
【０００２】
機密情報の電子化においては、機密保持が重要である。電子化文書等は容易に複製ができるので、電子化文書であっても、紙文書と同等の機密保持が求められる。
そこで、電子化文書を暗号化すると共に復号キーを付与して、閲覧を制限的にする技術が提案されている。
特許文献１には、コピーやプリント等の機能を持つ多機能プリンタ（ＭＦＰ：Multi-Function Printer）を用いて機密文書等を電子化すると共に復号キーを付与して、閲覧を制限的にする技術が提案されている。
【先行技術文献】
【特許文献】
【０００３】
【特許文献１】特開２００７−３４７０５号公報
【発明の概要】
【発明が解決しようとする課題】
【０００４】
従来の技術では、ＭＦＰで電子化した機密文書を保持するパーソナルコンピュータを、管理システムが構築された有線ＬＡＮあるいは無線ＬＡＮに接続する必要がある。
しかし、外出先のＬＡＮでは、セキュリティ対策のため、外部者のアクセスが禁止されている場合が殆どである。このため、従来の技術は、外出先での会議では対応できないという問題がある。
【０００５】
本発明は、機密保持性の高い暗号化情報を作成できる画像処理装置及びこれを用いた会議システムを提案することを目的とする。
【課題を解決するための手段】
【０００６】
本発明の画像処理装置の実施態様は、内部記憶装置に格納した情報を暗号化する暗号化情報生成部と、前記暗号化情報生成部で生成された暗号化情報を閲覧可能にすると共に、一時的な近距離直接通信のみにより送受信できる復号キーを生成する復号キー生成部と、前記暗号化情報と前記復号キーを通信接続されたモバイルコンピュータ機器に送信する情報送信部と、を備えることを特徴とする。
【０００７】
本発明の会議システムの第一実施態様は、本発明の画像処理装置の実施態様において生成された暗号化情報及び復号キーが保存された第一モバイルコンピュータ機器と、前記暗号化情報が保存されると共に、前記第一モバイルコンピュータ機器の近傍に配置された第二モバイルコンピュータ機器と、を備え、前記第一モバイルコンピュータ機器と前記第二モバイルコンピュータ機器は、前記復号キーを一時的な近距離直接通信のみにより直接送受信することを特徴とする。
【０００８】
本発明の会議システムの第二実施態様は、第一実施態様において、前記第二モバイルコンピュータ機器には、前記暗号化情報を保存するときに、前記暗号化情報を削除する専用ソフトウェアが同時にインストールされており、前記第二モバイルコンピュータ機器において前記暗号化情報を前記復号キーを用いて閲覧した後に、前記第一モバイルコンピュータ機器と前記第二モバイルコンピュータ機器の間の一時的な近距離直接通が終了すると、前記専用ソフトウェアが前記復号キーを消去することを特徴とする。
【発明の効果】
【０００９】
本発明の画像処理装置は、一時的な近距離直接通信のみにより送受信する復号キーを生成するので、機密保持性の高い暗号化情報を作成できる。
本発明の会議システムは、復号キーが一時的な近距離直接通信のみにより送受信して、複数のモバイルコンピュータ機器で暗号化情報を閲覧等できる。また、閲覧後に復号キーを消去するので、暗号化情報の機密保持性を高めることができる。
【図面の簡単な説明】
【００１０】
【図１】本発明の実施形態に係る多機能プリンタ１の概略構成を示す図である。
【図２】本発明の実施形態に係る会議システムＳを示す図である。
【図３】電子化機密情報に関わる処理を示すフローチャートを示す図である。
【発明を実施するための形態】
【００１１】
図１は、本発明の実施形態に係る多機能プリンタ１の概略構成を示す図である。
図１に示すように、多機能プリンタ１は、コピーやプリント等の機能を持つプリンタであって、ＭＦＰと呼ばれる。多機能プリンタ１は、ネットワークＬを介してノートパソコン５１と接続される。
多機能プリンタ（画像処理装置）１は、自動原稿送給部２、原稿読取部３、操作パネル４、給紙トレイ５、排紙トレイ６を備える。
自動原稿送給部２は、複数枚原稿を枚送して連続して読み込む装置であって、ＡＤＦ（Auto Document Feeder）と呼ばれる。
原稿読取部３は、原稿を読み取る光学式読み込み部である。
操作パネル４は、ＬＣＤなどの表示器及び各種スイッチボタンを有し、各種操作指令が入力される。
給紙トレイ５は、白紙用紙を貯留するトレイである。
排紙トレイ６は、印刷物を保持するトレイである。
【００１２】
多機能プリンタ１の内部には、読取画像補正部７、印刷部８、記憶部９及び主制御部１０が設けられる。
読取画像補正部７は、コピー画像データを生成する。
印刷部８は、コピー印刷を行う。
記憶部（内部記憶装置）９は、ＨＤＤ等からなる。記憶部９には、後述する復号キーＫを削除する専用ソフトウェアＤが保存（格納）されている。
主制御部１０は、多機能プリンタ１の機能を統括的に制御する。
【００１３】
主制御部１０は、ＣＰＵ１１、ＲＯＭ１２、ＲＡＭ１３、通信制御部１４、描画部１５及び操作部制御部１６を有する。
通信制御部（情報送信部）１４は、ネットワークＬを介してノートパソコン５１への情報送受信を行う。
描画部１５は、印刷部８に出力する印刷データを生成する。
操作部制御部１６は、操作パネル４との情報送受信を行う。
【００１４】
主制御部１０は、さらに、暗号化情報生成部２１及び復号キー生成部２２を有する。
暗号化情報生成部２１は、記憶部９に保管された文書データを暗号化して、容易に読み取り不能な暗号化情報Ｗを生成する。
復号キー生成部２２は、暗号化した文書データをノートパソコン５１等において読み取り可能とする復号キーＫを生成する。
【００１５】
図２は、本発明の実施形態に係る会議システムＳを示す図である。
図２に示すように、会議システムＳでは、暗号化情報Ｗ、復号キーＫ及び専用ソフトウェアＤを記憶したノートパソコン５１と、このノートパソコン５１の周囲に配置されたノートパソコン５２とが用いられる。ノートパソコン５１は一台であるが、ノートパソコン５２は複数台であってもよい。
ノートパソコン５１，５２は、それぞれ距離無線通信機能を備える。例えばブルートゥース（Bluetooth(登録商標)規格）等の近距離無線通信機能を備える。これにより、ノートパソコン５１，５２は、距離無線通信により様々な情報を直接送受信できる。
【００１６】
図３は、電子化機密情報に関わる処理を示すフローチャートを示す図である。図３は、ノートパソコン５１とノートパソコン５２の間で近距離無線通信回線Ｂが確立された直後を示す。
多機能プリンタ１を用いた暗号化情報Ｗの生成は、以下の手順で行われる。
図３に示すように、最初に、暗号化する文書（原稿）を自動原稿送給部２に配置する。そして、操作パネル４から、暗号化処理を指示する。多機能プリンタ１の主制御部１０は、操作パネル４から操作部制御部１６を経て入力された指令に基づいて、自動原稿送給部２と原稿読取部３を駆動する。これにより、暗号化する文書が原稿読取部３により読み取られる（ステップＳ１）。
【００１７】
原稿読取部３で読み取られた情報（画像データ）は、一旦、記憶部９に保存される。そして、画像データは暗号化情報生成部２１に送られて暗号化処理が施される（ステップＳ２）。
また、暗号化情報生成部２１において暗号化情報Ｗが生成されると同時に、復号キー生成部２２において復号キーＫが生成される（ステップＳ３）。
復号キーＫは、暗号化情報Ｗを閲覧可能にする暗号情報である。なお、復号キーＫは、複数のノートパソコン等の間で、一時的な近距離無線通信のみにより送受信できるようになっている。
【００１８】
暗号化情報Ｗ、復号キーＫ及び専用ソフトウェアＤは、一旦、記憶部９に保存される。そして、暗号化情報Ｗ、復号キーＫ及び専用ソフトウェアＤは、通信制御部１４からネットワークＬを介して、ノートパソコン（モバイルコンピュータ機器、第一モバイルコンピュータ機器）５１に送信される（ステップＳ４）。
このようにして、多機能プリンタ１を用いた暗号化情報Ｗの生成が行われる。
【００１９】
会議システムＳでは、以下の手順で暗号化情報Ｗが閲覧等される。
図３に示すように、会議に先立って、ノートパソコン５１に保存された暗号化情報Ｗ及び専用ソフトウェアＤは、インターネット等を介してノートパソコン（第二モバイルコンピュータ機器）５２に送信される（ステップＳ５）。
会議を開始する際には、ノートパソコン５１とノートパソコン５２を近接配置して、近距離無線通信回線Ｂを確立する。例えば、ノートパソコン５１とノートパソコン５２が同じ会議室に存在する場合のみ、ノートパソコン５１とノートパソコン５２の間で近距離無線通信回線Ｂが確立される（ステップＳ６）。
なお、この近距離無線通信回線Ｂは、会議中のみ確立される一時的な通信回線である。すなわち、ノートパソコン５１とノートパソコン５２が離間すると、近距離無線通信回線Ｂが自動的に切断される。
【００２０】
ノートパソコン５１とノートパソコン５２の間で近距離無線通信回線Ｂが確立された後に、ノートパソコン５２において暗号化情報Ｗを閲覧する処理が行われると、暗号化情報Ｗに組み込まれた指令に基づいて、ノートパソコン５２はノートパソコン５１に対して復号キーＫを要求する（ステップＳ７）。
ノートパソコン５２からの復号キー要求指令は、近距離無線通信回線Ｂを介してノートパソコン５１に送信される。これにより、ノートパソコン５１は、復号キー要求指令に基づいて復号キーＫを、近距離無線通信回線Ｂを介してノートパソコン５２に送信する。
【００２１】
ノートパソコン５２は、ノートパソコン５１から受信した復号キーＫと暗号化情報Ｗの照合を開始する。そして、復号キーＫが認証されると、ノートパソコン５２において、暗号化情報Ｗが閲覧や印刷等が可能な状態になる（ステップＳ８）。
これにより、ノートパソコン５１とノートパソコン５２の間で、暗号化情報Ｗを用いた会議を行うことが可能となる。
【００２２】
会議が終了すると、ノートパソコン５１とノートパソコン５２の間の近距離無線通信回線Ｂが分断される（ステップＳ９）。例えば、ノートパソコン５１，５２が会議室から運び出されて、ノートパソコン５１，５２の近距離無線通信機能の通信可能範囲外となる。
近距離無線通信回線Ｂが切断（終了）されると、ノートパソコン５２において復号キーＫを消去処理が開始される。ノートパソコン５２にインストールされた専用ソフトウェアＤが、近距離無線通信回線Ｂの切断をトリガーにして起動する。そして、専用ソフトウェアＤは、ノートパソコン５２に保存された復号キーＫを消去する（ステップＳ１０）。
このため、ノートパソコン５２においては、暗号化情報Ｗを再び閲覧等できなくなる。
【００２３】
このように、本発明の多機能プリンタ１は、一時的な近距離無線通信回線Ｂのみにより送受信する復号キーＫを生成するので、機密保持性の高い暗号化情報Ｗを作成できる。
本発明の会議システムＳは、復号キーＫが一時的な近距離無線通信回線Ｂのみにより送受信して、複数のノートパソコン５１，５２で暗号化情報Ｗを閲覧等できる。また、閲覧後に復号キーＫを消去するので、暗号化情報Ｗの機密保持性を高めることができる。
【００２４】
この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００２５】
例えば、上述した実施形態においては、暗号化情報Ｗ及び専用ソフトウェアＤは、会議に先立って、ノートパソコン５１からインターネット等を介してノートパソコン５２に送信される場合について説明したが、これに限らない。
暗号化情報Ｗ及び専用ソフトウェアＤは、会議開始後にノートパソコン５１，５２の間で近距離無線通信回線Ｂが確立されてから、この近距離無線通信回線Ｂを介してノートパソコン５１からノートパソコン５２に送信される場合であってもよい。
【００２６】
モバイルコンピュータ機器は、ノートパソコンに限らず、携帯電話機（スマートフォン）やタブレット端末等であってもよい。
【００２７】
近距離直接通信は、ブルートゥース等の近距離無線通信回線Ｂに限らない。ケーブル等を介した近距離優先通信回線であってもよい。複数のモバイルコンピュータ機器間における直接的な近距離通信であればよい。
【符号の説明】
【００２８】
１  多機能プリンタ（画像処理装置）  
２  自動原稿送給部  
３  原稿読取部  
４  操作パネル  
５  給紙トレイ  
６  排紙トレイ  
７  読取画像補正部  
８  印刷部  
９  記憶部（内部記憶装置）  
１０  主制御部  
１４  通信制御部（情報送信部）  
１５  描画部  
１６  操作部制御部  
２１  暗号化情報生成部  
２２  復号キー生成部  
５１  ノートパソコン（モバイルコンピュータ機器、第一モバイルコンピュータ機器）
５２  ノートパソコン（第二モバイルコンピュータ機器）  
Ｗ  暗号化情報  
Ｋ  復号キー  
Ｄ  専用ソフトウェア  
Ｌ  ネットワーク  
Ｂ  近距離無線通信回線（近距離直接通信）
Ｓ  会議システム  
【図１】
2015211411.tif 000003
【図２】
2015211411.tif 000004
【図３】
2015211411.tif 000005